(57)【要約】【課題】本発明は自動車用ゴミ収納箱を開示した。【解決手段】本体を含み、ゴミチャンバの中にあるゴミが一定の重さに達する場合、ゴミ箱が重力板を下に移動連動させ、重力板が下に移動し移動板により垂直板を下に移動連動させ、プッシュ板を開けられないようにさせ、固定機構の中にあるスライドブロックと固定ブロックにより収納箱を車内の固定できるところに固定し、収納箱が落ちることを防止し、取り出し機構が収納箱内のゴミ箱を単独的に取り出せ、またゴミ箱の中にあるゴミがいっぱいになるとき、制限機構がプッシュ板のオープンを制限し、ユーザーにゴミがいっぱいになることを注意する。【選択図】図１
2020179835.tif 000002
【特許請求の範囲】
【請求項１】
本体を含み、前記本体の右側端面には右方に開口したスライドチャンバが設置され、前記スライドチャンバの中には固定できる固定機構が設置され、前記固定機構は前記スライドチャンバの前後内壁に対称的に設置されるスライド溝を含み、前後の前記スライド溝の間にはスライドロッドがスライドできるように係合し取り付けられ、前記スライドロッドにはスライドブロックが固定的に取り付けられ、前記スライドブロックの中には下方に開口した固定チャンバが設置され、前記固定チャンバの中には固定ブロックがスライドできるように係合し取り付けられ、前記固定ブロックの左側端面と前記固定チャンバの左側内壁との間には第一ばねが固定的に取り付けられ、収納箱を固定するとき、前記スライドブロックを引き出し、前記スライドロッドが前記スライド溝の中でスライドした後に前記スライド溝の最下端に固定され、前記固定ブロックと前記スライドブロックとの間の隙間により固定し、前記第一ばねが固定する力を提供し、前記固定機構の下方には制限機能を持つ制限機構が設置され、前記制限機構は前記本体の中に設置される上方に開口した入り口を含み、前記入り口の右側にはプッシュチャンバが連通し設置され、前記プッシュチャンバの中にはプッシュ板がスライドできるように係合し取り付けられ、前記プッシュ板の頂部端面にはプッシュブロックが固定的に取り付けられ、前記プッシュ板の右側端面と前記プッシュチャンバの右側内壁との間には第二ばねが固定的に取り付けられ、前記プッシュ板の底部端面には引掛り溝が設置され、前記プッシュチャンバの底壁には第一垂直チャンバが連通し設置され、前記第一垂直チャンバの中には固定できる引掛り板がスライドできるように係合し取り付けられ、前記引掛り板が前記引掛り溝と固定でき、前記プッシュ板の移動を制限し、前記制限機構の左側には収納箱を開け、収納箱内のゴミを取り出すことができる取り出し機構が設置され、前記取り出し機構は前記入り口の下方に連通し設置される重力チャンバを含み、前記重力チャンバの中にはゴミ箱が置かれ、前記ゴミ箱の中には上方に開口したゴミを置けるゴミチャンバが設置されることを特徴とする自動車用ゴミ収納箱。
【請求項２】
前記制限機構は前記第一垂直チャンバの下方に連通し設置される連結チャンバも含み、前記連結チャンバの前後内壁の間には連結ロッドが回転できるように係合し取り付けられ、前記連結ロッドには連結板が固定的に取り付けられ、前記連結板には連結溝が左右に対称的に設置され、左側の前記連結溝と前記引掛り板とがスライドできるように係合し取り付けられ、前記連結チャンバの底壁には第二垂直チャンバが連通し設置され、前記第二垂直チャンバの中には垂直板がスライドできるように係合し取り付けられ、前記垂直板と右側の前記連結溝とがスライドできるように係合し取り付けられ、前記第二垂直チャンバの底壁にはばね溝が連通し設置され、前記ばね溝の中には移動板がスライドできるように係合し取り付けられ、前記移動板の頂部端面と前記垂直板の底部端面とが固定的に連結され、前記移動板の底部端面と前記ばね溝の底壁との間には第三ばねが固定的に取り付けられ、前記重力チャンバの中には重力板がスライドできるように係合し取り付けられ、前記ゴミ箱が前記重力板に置かれ、前記重力板の底部端面と前記移動板とが固定的に連結され、前記重力板の底部端面と前記重力チャンバの底壁との間には第四ばねが固定的に取り付けられ、それによりゴミチャンバの中にあるゴミが一定の重さに達する場合、ゴミ箱が重力板を下に移動連動させ、重力板が下に移動し移動板により垂直板を下に移動連動させ、垂直板が連結板の回転により引掛り板を上に移動させ、そして引掛り板が引掛り溝の中に固定され、プッシュ板を開けられないようにさせることを特徴とする請求項１に記載の自動車用ゴミ収納箱。
【請求項３】
前記取り出し機構は前記重力チャンバの左側に連通し設けられた出口を含み、前記出口の前後内壁の間には補助ロッドが回転できるように係合し取り付けられ、前記補助ロッドには補助板が固定的に取り付けられ、前記補助板の右側内壁には右方に開口した置き溝が設置され、前記ゴミ箱の左側端面には引きブロックが固定的に取り付けられ、前記引きブロックが前記置き溝の中に置かれることができ、前記補助板の底部端面には下方に開口した制限溝が設置され、前記出口の底壁には移動溝が連通し設置され、前記移動溝の中には制限ブロックがスライドできるように係合し取り付けられ、前記制限ブロックが前記制限溝の中に固定されることができ、前記制限ブロックの底部端面と前記移動溝の底壁との間には第五ばねが固定的に取り付けられ、前記制限ブロックの底部端面には制限ロッドが固定的に取り付けられ、前記制限ロッドと前記本体とがスライドできるように係合し取り付けられ、前記移動溝の下方には押し溝が連通し設置され、前記押し溝の中には押し板がスライドできるように係合し取り付けられ、前記押し板の底部端面と前記押し溝の底壁との間には第六ばねが固定的に取り付けられ、前記押し板と前記制限ロッドとが固定的に連結され、それによりゴミチャンバ内のゴミがいっぱいになり、プッシュ板が開けられないとき、押し板を押し、押し板が制限ロッドにより制限ブロックを下に移動連動させ、制限ブロックと制限溝とが固定状態から離脱し、そして補助板を開け、引きブロックによりゴミ箱を取り出し、ゴミを捨てることを特徴とする請求項１に記載の自動車用ゴミ収納箱。
【発明の詳細な説明】
【技術分野】
【０００１】
本発明は車内用品分野を取り上げて、具体的には自動車用ゴミ収納箱である。
【背景技術】
【０００２】
車内に好き勝手にゴミを置くと、車内の環境に影響を与え、人々は常に車内のゴミ収納箱を使うが、一般的な車内ゴミ収納箱がどこにでも固定することはできず、インパネの上にしか置くことができなく、落ちる可能性があり、乗客に損傷を与え、また、一般的なゴミ収納箱でゴミを捨てる際には、収納箱全体を取り外す必要があり、収納箱内のゴミがいっぱいになったかどうかをユーザに注意することもできない。
【先行技術文献】
【特許文献】
【０００３】
【特許文献１】中国特許出願公開第１０３４９６５３２号明細書
【発明の概要】
【発明が解決しようとする課題】
【０００４】
本発明の目的は自動車用ゴミ収納箱を提供し、それは上記の現在の技術中の問題を解決できる。
【課題を解決するための手段】
【０００５】
本発明の自動車用ゴミ収納箱は、本体を含み、前記本体の右側端面には右方に開口したスライドチャンバが設置され、前記スライドチャンバの中には固定できる固定機構が設置され、前記固定機構は前記スライドチャンバの前後内壁に対称的に設置されるスライド溝を含み、前後の前記スライド溝の間にはスライドロッドがスライドできるように係合し取り付けられ、前記スライドロッドにはスライドブロックが固定的に取り付けられ、前記スライドブロックの中には下方に開口した固定チャンバが設置され、前記固定チャンバの中には固定ブロックがスライドできるように係合し取り付けられ、前記固定ブロックの左側端面と前記固定チャンバの左側内壁との間には第一ばねが固定的に取り付けられ、収納箱を固定するとき、前記スライドブロックを引き出し、前記スライドロッドが前記スライド溝の中でスライドした後に前記スライド溝の最下端に固定され、前記固定ブロックと前記スライドブロックとの間の隙間により固定し、前記第一ばねが固定する力を提供し、前記固定機構の下方には制限機能を持つ制限機構が設置され、前記制限機構は前記本体の中に設置される上方に開口した入り口を含み、前記入り口の右側にはプッシュチャンバが連通し設置され、前記プッシュチャンバの中にはプッシュ板がスライドできるように係合し取り付けられ、前記プッシュ板の頂部端面にはプッシュブロックが固定的に取り付けられ、前記プッシュ板の右側端面と前記プッシュチャンバの右側内壁との間には第二ばねが固定的に取り付けられ、前記プッシュ板の底部端面には引掛り溝が設置され、前記プッシュチャンバの底壁には第一垂直チャンバが連通し設置され、前記第一垂直チャンバの中には固定できる引掛り板がスライドできるように係合し取り付けられ、前記引掛り板が前記引掛り溝と固定でき、前記プッシュ板の移動を制限し、前記制限機構の左側には収納箱を開け、収納箱内のゴミを取り出すことができる取り出し機構が設置され、前記取り出し機構は前記入り口の下方に連通し設置される重力チャンバを含み、前記重力チャンバの中にはゴミ箱が置かれ、前記ゴミ箱の中には上方に開口したゴミを置けるゴミチャンバが設置される。
【０００６】
さらなる技術プラン、前記制限機構は前記第一垂直チャンバの下方に連通し設置される連結チャンバも含み、前記連結チャンバの前後内壁の間には連結ロッドが回転できるように係合し取り付けられ、前記連結ロッドには連結板が固定的に取り付けられ、前記連結板には連結溝が左右に対称的に設置され、左側の前記連結溝と前記引掛り板とがスライドできるように係合し取り付けられ、前記連結チャンバの底壁には第二垂直チャンバが連通し設置され、前記第二垂直チャンバの中には垂直板がスライドできるように係合し取り付けられ、前記垂直板と右側の前記連結溝とがスライドできるように係合し取り付けられ、前記第二垂直チャンバの底壁にはばね溝が連通し設置され、前記ばね溝の中には移動板がスライドできるように係合し取り付けられ、前記移動板の頂部端面と前記垂直板の底部端面とが固定的に連結され、前記移動板の底部端面と前記ばね溝の底壁との間には第三ばねが固定的に取り付けられ、前記重力チャンバの中には重力板がスライドできるように係合し取り付けられ、前記ゴミ箱が前記重力板に置かれ、前記重力板の底部端面と前記移動板とが固定的に連結され、前記重力板の底部端面と前記重力チャンバの底壁との間には第四ばねが固定的に取り付けられる。
【０００７】
さらなる技術プラン、前記取り出し機構は前記重力チャンバの左側に連通し設けられた出口を含み、前記出口の前後内壁の間には補助ロッドが回転できるように係合し取り付けられ、前記補助ロッドには補助板が固定的に取り付けられ、前記補助板の右側内壁には右方に開口した置き溝が設置され、前記ゴミ箱の左側端面には引きブロックが固定的に取り付けられ、前記引きブロックが前記置き溝の中に置かれることができ、前記補助板の底部端面には下方に開口した制限溝が設置され、前記出口の底壁には移動溝が連通し設置され、前記移動溝の中には制限ブロックがスライドできるように係合し取り付けられ、前記制限ブロックが前記制限溝の中に固定されることができ、前記制限ブロックの底部端面と前記移動溝の底壁との間には第五ばねが固定的に取り付けられ、前記制限ブロックの底部端面には制限ロッドが固定的に取り付けられ、前記制限ロッドと前記本体とがスライドできるように係合し取り付けられ、前記移動溝の下方には押し溝が連通し設置され、前記押し溝の中には押し板がスライドできるように係合し取り付けられ、前記押し板の底部端面と前記押し溝の底壁との間には第六ばねが固定的に取り付けられ、前記押し板と前記制限ロッドとが固定的に連結される。
【発明の効果】
【０００８】
本発明の有益的な効果は：本発明は固定機構の中にあるスライドブロックと固定ブロックにより収納箱を車内の固定できるところに固定し、必ずしもインパネの上に置く必要がなく、収納箱が落ちることを防止し、取り出し機構が収納箱内のゴミ箱を単独的に取り出せ、ゴミ捨てに便利であり、収納箱全体を取り外す必要がなく、またゴミ箱の中にあるゴミがいっぱいになるとき、制限機構がプッシュ板のオープンを制限し、ユーザーにゴミがいっぱいになることを注意し、普及する価値がある。
【図面の簡単な説明】
【０００９】
【図１】図１は本発明の構造概略図
【図２】図２は図１のＡの拡大概略図
【図３】図３はスライド溝の構造概略図
【図４】図４はスライドブロックが挟まれた後の状態概略図
【発明を実施するための形態】
【００１０】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−４を参照し、本発明の自動車用ゴミ収納箱は、本体１１を含み、前記本体１１の右側端面には右方に開口したスライドチャンバ３１が設置され、前記スライドチャンバ３１の中には固定できる固定機構７０が設置され、前記固定機構７０は前記スライドチャンバ３１の前後内壁に対称的に設置されるスライド溝３０を含み、前後の前記スライド溝３０の間にはスライドロッド３６がスライドできるように係合し取り付けられ、前記スライドロッド３６にはスライドブロック３２が固定的に取り付けられ、前記スライドブロック３２の中には下方に開口した固定チャンバ３４が設置され、前記固定チャンバ３４の中には固定ブロック３３がスライドできるように係合し取り付けられ、前記固定ブロック３３の左側端面と前記固定チャンバ３４の左側内壁との間には第一ばね３５が固定的に取り付けられ、収納箱を固定するとき、前記スライドブロック３２を引き出し、前記スライドロッド３６が前記スライド溝３０の中でスライドした後に前記スライド溝３０の最下端に固定され、前記固定ブロック３３と前記スライドブロック３２との間の隙間により固定し、前記第一ばね３５が固定する力を提供し、前記固定機構７０の下方には制限機能を持つ制限機構８０が設置され、前記制限機構８０は前記本体１１の中に設置される上方に開口した入り口４０を含み、前記入り口４０の右側にはプッシュチャンバ３８が連通し設置され、前記プッシュチャンバ３８の中にはプッシュ板４１がスライドできるように係合し取り付けられ、前記プッシュ板４１の頂部端面にはプッシュブロック４２が固定的に取り付けられ、前記プッシュ板４１の右側端面と前記プッシュチャンバ３８の右側内壁との間には第二ばね３７が固定的に取り付けられ、前記プッシュ板４１の底部端面には引掛り溝３９が設置され、前記プッシュチャンバ３８の底壁には第一垂直チャンバ４３が連通し設置され、前記第一垂直チャンバ４３の中には固定できる引掛り板４４がスライドできるように係合し取り付けられ、前記引掛り板４４が前記引掛り溝３９と固定でき、前記プッシュ板４１の移動を制限し、前記制限機構８０の左側には収納箱を開け、収納箱内のゴミを取り出すことができる取り出し機構９０が設置され、前記取り出し機構９０は前記入り口４０の下方に連通し設置される重力チャンバ２０を含み、前記重力チャンバ２０の中にはゴミ箱１８が置かれ、前記ゴミ箱１８の中には上方に開口したゴミを置けるゴミチャンバ１５が設置される。
【００１２】
前記制限機構８０は前記第一垂直チャンバ４３の下方に連通し設置される連結チャンバ２７も含み、前記連結チャンバ２７の前後内壁の間には連結ロッド４５が回転できるように係合し取り付けられ、前記連結ロッド４５には連結板２８が固定的に取り付けられ、前記連結板２８には連結溝２９が左右に対称的に設置され、左側の前記連結溝２９と前記引掛り板４４とがスライドできるように係合し取り付けられ、前記連結チャンバ２７の底壁には第二垂直チャンバ２６が連通し設置され、前記第二垂直チャンバ２６の中には垂直板２５がスライドできるように係合し取り付けられ、前記垂直板２５と右側の前記連結溝２９とがスライドできるように係合し取り付けられ、前記第二垂直チャンバ２６の底壁にはばね溝２４が連通し設置され、前記ばね溝２４の中には移動板２２がスライドできるように係合し取り付けられ、前記移動板２２の頂部端面と前記垂直板２５の底部端面とが固定的に連結され、前記移動板２２の底部端面と前記ばね溝２４の底壁との間には第三ばね２３が固定的に取り付けられ、前記重力チャンバ２０の中には重力板１９がスライドできるように係合し取り付けられ、前記ゴミ箱１８が前記重力板１９に置かれ、前記重力板１９の底部端面と前記移動板２２とが固定的に連結され、前記重力板１９の底部端面と前記重力チャンバ２０の底壁との間には第四ばね２１が固定的に取り付けられ、それによりゴミチャンバ１５の中にあるゴミが一定の重さに達する場合、ゴミ箱１８が重力板１９を下に移動連動させ、重力板１９が下に移動し移動板２２により垂直板２５を下に移動連動させ、垂直板２５が連結板２８の回転により引掛り板４４を上に移動させ、そして引掛り板４４が引掛り溝３９の中に固定され、プッシュ板４１を開けられないようにさせる。
【００１３】
前記取り出し機構９０は前記重力チャンバ２０の左側に連通し設けられた出口１２を含み、前記出口１２の前後内壁の間には補助ロッド１３が回転できるように係合し取り付けられ、前記補助ロッド１３には補助板１４が固定的に取り付けられ、前記補助板１４の右側内壁には右方に開口した置き溝１６が設置され、前記ゴミ箱１８の左側端面には引きブロック１７が固定的に取り付けられ、前記引きブロック１７が前記置き溝１６の中に置かれることができ、前記補助板１４の底部端面には下方に開口した制限溝５３が設置され、前記出口１２の底壁には移動溝５０が連通し設置され、前記移動溝５０の中には制限ブロック５２がスライドできるように係合し取り付けられ、前記制限ブロック５２が前記制限溝５３の中に固定されることができ、前記制限ブロック５２の底部端面と前記移動溝５０の底壁との間には第五ばね５１が固定的に取り付けられ、前記制限ブロック５２の底部端面には制限ロッド４９が固定的に取り付けられ、前記制限ロッド４９と前記本体１１とがスライドできるように係合し取り付けられ、前記移動溝５０の下方には押し溝４７が連通し設置され、前記押し溝４７の中には押し板４６がスライドできるように係合し取り付けられ、前記押し板４６の底部端面と前記押し溝４７の底壁との間には第六ばね４８が固定的に取り付けられ、前記押し板４６と前記制限ロッド４９とが固定的に連結され、それによりゴミチャンバ１５内のゴミがいっぱいになり、プッシュ板４１が開けられないとき、押し板４６を押し、押し板４６が制限ロッド４９により制限ブロック５２を下に移動連動させ、制限ブロック５２と制限溝５３とが固定状態から離脱し、そして補助板１４を開け、引きブロック１７によりゴミ箱１８を取り出し、ゴミを捨てる。
【００１４】
使用するとき、収納箱を固定するとき、前記スライドブロック３２を引き出し、前記スライドロッド３６が前記スライド溝３０の中でスライドした後に前記スライド溝３０の最下端に固定され、前記固定ブロック３３と前記スライドブロック３２との間の隙間により固定し、前記第一ばね３５が固定する力を提供し、プッシュブロック４２によりプッシュ板４１を開け、ゴミチャンバ１５の中にゴミを入れ、ゴミチャンバ１５の中にあるゴミが一定の重さに達する場合、ゴミ箱１８が重力板１９を下に移動連動させ、重力板１９が下に移動し移動板２２により垂直板２５を下に移動連動させ、垂直板２５が連結板２８の回転により引掛り板４４を上に移動させ、そして引掛り板４４が引掛り溝３９の中に固定され、プッシュ板４１を開けられないようにさせ、押し板４６を押し、押し板４６が制限ロッド４９により制限ブロック５２を下に移動連動させ、制限ブロック５２と制限溝５３とが固定状態から離脱し、そして補助板１４を開け、引きブロック１７によりゴミ箱１８を取り出し、ゴミを捨てる。
【００１５】
本発明の有益的な効果は：本発明は固定機構の中にあるスライドブロックと固定ブロックにより収納箱を車内の固定できるところに固定し、必ずしもインパネの上に置く必要がなく、収納箱が落ちることを防止し、取り出し機構が収納箱内のゴミ箱を単独的に取り出せ、ゴミ捨てに便利であり、収納箱全体を取り外す必要がなく、またゴミ箱の中にあるゴミがいっぱいになるとき、制限機構がプッシュ板のオープンを制限し、ユーザーにゴミがいっぱいになることを注意し、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179835.tif 000003
【図２】
2020179835.tif 000004
【図３】
2020179835.tif 000005
【図４】
2020179835.tif 000006
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
本体を含み、前記本体の右側端面には右方に開口したスライドチャンバが設置され、前記スライドチャンバの中には固定できる固定機構が設置され、前記固定機構は前記スライドチャンバの前後内壁に対称的に設置されるスライド溝を含み、前後の前記スライド溝の間にはスライドロッドがスライドできるように係合し取り付けられ、前記スライドロッドにはスライドブロックが固定的に取り付けられ、前記スライドブロックの中には下方に開口した固定チャンバが設置され、前記固定チャンバの中には固定ブロックがスライドできるように係合し取り付けられ、前記固定ブロックの左側端面と前記固定チャンバの左側内壁との間には第一ばねが固定的に取り付けられ、収納箱を固定するとき、前記スライドブロックを引き出し、前記スライドロッドが前記スライド溝の中でスライドした後に前記スライド溝の最下端に固定され、前記固定ブロックと前記スライドブロックとの間の隙間により固定し、前記第一ばねが固定する力を提供し、前記固定機構の下方には制限機能を持つ制限機構が設置され、前記制限機構は前記本体の中に設置される上方に開口した入り口を含み、前記入り口の右側にはプッシュチャンバが連通し設置され、前記プッシュチャンバの中にはプッシュ板がスライドできるように係合し取り付けられ、前記プッシュ板の頂部端面にはプッシュブロックが固定的に取り付けられ、前記プッシュ板の右側端面と前記プッシュチャンバの右側内壁との間には第二ばねが固定的に取り付けられ、前記プッシュ板の底部端面には引掛り溝が設置され、前記プッシュチャンバの底壁には第一垂直チャンバが連通し設置され、前記第一垂直チャンバの中には固定できる引掛り板がスライドできるように係合し取り付けられ、前記引掛り板が前記引掛り溝と固定でき、前記プッシュ板の移動を制限し、前記制限機構の左側には収納箱を開け、収納箱内のゴミを取り出すことができる取り出し機構が設置され、前記取り出し機構は前記入り口の下方に連通し設置される重力チャンバを含み、前記重力チャンバの中にはゴミ箱が置かれ、前記ゴミ箱の中には上方に開口したゴミを置けるゴミチャンバが設置され、
前記制限機構は前記第一垂直チャンバの下方に連通し設置される連結チャンバも含み、前記連結チャンバの前後内壁の間には連結ロッドが回転できるように係合し取り付けられ、前記連結ロッドには連結板が固定的に取り付けられ、前記連結板には連結溝が左右に対称的に設置され、左側の前記連結溝と前記引掛り板とがスライドできるように係合し取り付けられ、前記連結チャンバの底壁には第二垂直チャンバが連通し設置され、前記第二垂直チャンバの中には垂直板がスライドできるように係合し取り付けられ、前記垂直板と右側の前記連結溝とがスライドできるように係合し取り付けられ、前記第二垂直チャンバの底壁にはばね溝が連通し設置され、前記ばね溝の中には移動板がスライドできるように係合し取り付けられ、前記移動板の頂部端面と前記垂直板の底部端面とが固定的に連結され、前記移動板の底部端面と前記ばね溝の底壁との間には第三ばねが固定的に取り付けられ、前記重力チャンバの中には重力板がスライドできるように係合し取り付けられ、前記ゴミ箱が前記重力板に置かれ、前記重力板の底部端面と前記移動板とが固定的に連結され、前記重力板の底部端面と前記重力チャンバの底壁との間には第四ばねが固定的に取り付けられ、それによりゴミチャンバの中にあるゴミが一定の重さに達する場合、ゴミ箱が重力板を下に移動連動させ、重力板が下に移動し移動板により垂直板を下に移動連動させ、垂直板が連結板の回転により引掛り板を上に移動させ、そして引掛り板が引掛り溝の中に固定され、プッシュ板を開けられないようにさせ、
前記取り出し機構は前記重力チャンバの左側に連通し設けられた出口を含み、前記出口の前後内壁の間には補助ロッドが回転できるように係合し取り付けられ、前記補助ロッドには補助板が固定的に取り付けられ、前記補助板の右側内壁には右方に開口した置き溝が設置され、前記ゴミ箱の左側端面には引きブロックが固定的に取り付けられ、前記引きブロックが前記置き溝の中に置かれることができ、前記補助板の底部端面には下方に開口した制限溝が設置され、前記出口の底壁には移動溝が連通し設置され、前記移動溝の中には制限ブロックがスライドできるように係合し取り付けられ、前記制限ブロックが前記制限溝の中に固定されることができ、前記制限ブロックの底部端面と前記移動溝の底壁との間には第五ばねが固定的に取り付けられ、前記制限ブロックの底部端面には制限ロッドが固定的に取り付けられ、前記制限ロッドと前記本体とがスライドできるように係合し取り付けられ、前記移動溝の下方には押し溝が連通し設置され、前記押し溝の中には押し板がスライドできるように係合し取り付けられ、前記押し板の底部端面と前記押し溝の底壁との間には第六ばねが固定的に取り付けられ、前記押し板と前記制限ロッドとが固定的に連結され、それによりゴミチャンバ内のゴミがいっぱいになり、プッシュ板が開けられないとき、押し板を押し、押し板が制限ロッドにより制限ブロックを下に移動連動させ、制限ブロックと制限溝とが固定状態から離脱し、そして補助板を開け、引きブロックによりゴミ箱を取り出し、ゴミを捨てることを特徴とする自動車用ゴミ収納箱。